(57)【要約】  【課題】  屋内馬場等に人手によって毎日、朝晩散水することなく、簡単に均一状に所要の表面層状態を維持できるようにすることにある。  【解決手段】  屋内馬場１等をプール状や水槽状に形成してその馬場１を透過する水を貯水する集水ピット８を馬場１の側部に配設するとともに、その底面の遮水層３に乗馬用マット層４、砂材等の表面層５を敷設してその乗馬用マット層部４に散水用の散水管７を所定の間隔で表面層５に散水自在に埋設し、上記集水ピット７に加圧ポンプ９を接続して上記乗馬用マット層部４の散水管７に所定の圧力で給水可能として、屋内馬場等を人手によることなく、簡単に均一状に所要の表面層状態を維持できるようにしている。馬場１の表面層５にフェルトチップ１２を配合するのが好ましい。【選択図】  図１
0003139880.tif 000002
【実用新案登録請求の範囲】
【請求項１】
屋内馬場等をプール状や水槽状に形成してその馬場を透過する水を貯水する集水ピットを馬場の側部に配設するとともに、その底面の遮水層に乗馬用マット層、砂材等の表面層を敷設してその乗馬用マット層部に散水用の散水管を所定の間隔で表面層に散水自在に埋設し、
上記集水ピットに加圧ポンプを接続して上記乗馬用マット層部の散水管に所定の圧力で給水可能に配設したことを特徴とする屋内馬場等の散水装置。
【請求項２】
馬場の表面層にフェルトチップを配合したものである請求項１に記載の屋内馬場等の散水装置。
【請求項３】
散水管を乗馬用マット層の継目間に配設した請求項１または２に記載の屋内馬場等の散水装置。
【請求項４】
馬場に水位管理用に水位調整桝を接続し、この水位調整桝に水位検出器を配設して散水量を自動的に調整するようにした請求項１ないし３のいずれかに記載の屋内馬場等の散水装置。
【請求項５】
加圧ポンプまたは／およびその開閉弁をタイマーによって散水制御自在とした請求項１ないし３のいずれかに記載の屋内馬場等の散水装置。
【考案の詳細な説明】
【技術分野】
【０００１】
本考案は、スポーツ分野等における乗馬用の屋内馬場等の散水装置に関するものである。
【背景技術】
【０００２】
近年、競馬場の馬場は、所定の砕石構造の敷石の上に乗馬用マット等を敷設し、さらにその上にウッドチップ入りの混合砂や、洗い川砂、ヤシ繊維入りの混合砂、フェルト入りの混合砂等を積層したりして形成している。
【０００３】
出願人は、各地の乗馬用馬場等での砂の粒度構成の対応に手間取ることなく、排水性やクッション性、グリップ性の形成が難しくなく、またその維持も難しくない馬場を形成することを研究しており、今回これらの屋内馬場等の散水装置の開発を行った。
【０００４】
従来、屋内馬場等の品質維持のため、人手によって毎日、朝晩、馬場の表面に散水していて、広い場所であるため多大な手間がかかるとともに、時間もかかり、しかも均一状に散水施工することが難しかった。特に、夏期などでは、頻繁な散水作業をしなければならなかった。
【０００５】
そこで、先行特許調査した結果、特開２００２−３５４９４９号公報や特開平８−３０２８００号公報などが検索された。
特開２００２−３５４９４９号公報は、球技場の地表面を砂入り人工芝とした潤湿性舗装における地表層への水供給構造のもので、舗装材の内部に給水管を埋設し、この給水管から舗装材の表面へ延在するように設けた導水性シート部材を通じて上部側に浸透して地表層に水分供給することを提案している。
しかし、導水性シート部材を特設しなければならないものであり、馬場のような表面層が荒れるものに導水性シート部材を均一に埋設して水分を均一状に配分することは難しい。
【０００６】
また、特開平８−３０２８００号公報は、グランド、馬場、公園などにおける芝生舗装地帯を遮水シートにより貯水型として、自然降雨や散水の水を地下浸透させずに集水し、水位調整制御して土壌水分を調整する貯水型土壌システムを提供している。
しかし、遮水シート上に敷設した暗渠管によって散水を集水して、水位水位調整桝で水位を調整するものであった。
【特許文献１】特開２００２−３５４９４９号公報
【特許文献２】特開平８−３０２８００号公報
【考案の開示】
【考案が解決しようとする課題】
【０００７】
本考案は、屋内馬場等に人手によって毎日、朝晩散水することなく、容易に均一状に所要の表面層状態を維持できるようにすることにある。
【課題を解決するための手段】
【０００８】
本考案は、上記のような点に鑑みたもので、上記の課題を解決するために、屋内馬場等をプール状や水槽状に形成してその馬場を透過する水を貯水する集水ピットを馬場の側部に配設するとともに、その底面の遮水層に乗馬用マット層、砂材等の表面層を敷設してその乗馬用マット層部に散水用の散水管を所定の間隔で表面層に散水自在に埋設し、上記集水ピットに加圧ポンプを接続して上記乗馬用マット層部の散水管に所定の圧力で給水可能に配設したことを特徴とする屋内馬場等の散水装置を提供するにある。
【０００９】
また、馬場の表面層にフェルトチップを配合したものである屋内馬場等の散水装置を提供するにある。
【００１０】
さらに、散水管を乗馬用マット層の継目間に接続した屋内馬場等の散水装置を提供するにある。
【００１１】
さらにまた、馬場に水位管理用に水位調整桝を配設し、この水位調整桝に水位検出器を配設して散水量を自動的に調整するようにした屋内馬場等の散水装置を提供するにある。  
【００１２】
またさらに、加圧ポンプまたは／およびその開閉弁をタイマーによって散水制御自在とした屋内馬場等の散水装置を提供するにある。
【考案の効果】
【００１３】
本考案の屋内等の馬場の散水装置は、屋内馬場等をプール状や水槽状に形成してその馬場を透過する水を貯水する集水ピットを馬場の側部に配設するとともに、その底面の遮水層に乗馬用マット層、砂材等の表面層を敷設してその乗馬用マット層部に散水用の散水管を所定の間隔で表面層に散水自在に埋設し、上記集水ピットに加圧ポンプを接続して上記乗馬用マット層部の散水管に所定の圧力で給水可能に配設したことによって、人手を介することなく、馬場での練習に邪魔にならずに、自動的に馬場の乗馬用マット層から表面層に均一状に散水でき、良好な馬場を維持できる。
【００１４】
また、馬場の表面層にフェルトチップを配合したことによって、表面層のフェルトチップが散水を吸水してフェルトチップによる毛細管現象で均一状に表面層の砂や繊維チップに補水して適切な水分保持状態にできて、良好な馬場を維持できる。
【００１５】
さらに、散水管を乗馬用マット層の継目間に配設したことによって、散水管を馬の蹄による破損から防止できるるとともに、表面層にソフトに散水するようにできる。
【００１６】
さらにまた、馬場に水位管理用に水位調整桝を接続し、この水位調整桝に水位検出器を配設して散水量を自動的に調整するようにしたことによって、馬場の水分蒸発による水位調整桝の水位変化を水位検出器で検出できて、馬場での練習に邪魔にならずに、自動的に散水管に供給して散水処理でき、馬場を適切な水分保持状態にできて、容易に良好な馬場を維持できる。
【００１７】
またさらに、加圧ポンプまたは／およびその開閉弁をタイマーによってＯＮ、ＯＦＦして散水制御自在としたことによって、水位調整桝を特設して水位管理を必要とすることなく、馬場での練習に邪魔にならずに、簡単に散水管に所定時間に給水して散水処理でき、容易に良好な馬場を維持できる。
【考案を実施するための最良の形態】
【００１８】
本考案の屋内馬場等の散水装置は、屋内馬場等をプール状や水槽状に形成してその馬場を透過する水を貯水する集水ピットを馬場の側部に配設するとともに、その底面の遮水層に乗馬用マット層、砂材等の表面層を敷設してその乗馬用マット層部に散水用の散水管を所定の間隔で表面層に散水自在に埋設し、上記集水ピットに加圧ポンプを接続して上記乗馬用マット層部の散水管に所定の圧力で給水可能に配設したことを特徴としている。
【００１９】
屋内馬場１は、図１のように体育館等のように屋根付きの屋内練習用等のもので、コンクリートやＦＲＰ等で所要のプール状や水槽状に周囲に遮水壁２を、底面に遮水層３を施設し、図２のようにその底面の遮水層３に乗馬用マット層４、表面層５を順次所定の厚さに積層し、その乗馬用マット層４の継目間６に散水管７を配設し、さらに図３のように馬場１のコーナー等の側部に馬場１を透過する水を貯水する集水ピット８を配設し、集水ピット８に装填した水を加圧ポンプ９で上記散水管７に送給して表面層５へ散水して所要の水分保持状態にできるようにしている。
【００２０】
上記屋内馬場１等の遮水壁２、遮水層３は、プールや水槽のように所定の防水処理のコンクリート面やＦＲＰ面等とするが、場合により機能を損なわないようにしてその一部を低くしたり、削除することもできる。また、乗馬用マット層４は、所定の弾力の天然ゴム材やポリウレタン等の合成ゴム材、フェルト材を所定の幅、長さの大きさとして１００〜１５０ｍｍの厚さに適宜に接合して積層できるもので、その表面には所定の大きさの摩擦力を大きくする凹凸状面等を設けることが好ましい。
【００２１】
この乗馬用マット層４の接合する継目間６は、３０〜５０ｍｍの間隙を設けて３〜５ｍｍ径の散水孔を３０〜５０ｃｍの一定間隔で上方に向けて開口した３０〜５０ｍｍ口径の散水管７を均一状の所要の間隔で配設して、砂１０、繊維チップ１１、フェルトチップ１２を適切に混合した表面層５に均一状に散水するようにしている。この散水管７は、乗馬用マット層４の上端面以下として馬の蹄による破損を防止しているとともに、散水孔８を小径として表面層５にソフトに散水するようにしている。なお、必要により、表面層５にプラスチック粉粒体を混合することもできる。
【００２２】
表面層５は、所定の砂１０に繊維チップ１１、フェルトチップ１２を所定量の割合で混合して８０〜１５０ｍｍ厚さに敷設し、馬場を排水性が良く、グリップ性も良く形成できるようにしている。上記砂１０は、その馬場の地域の所定の粒度構成の砂や中国産の洗い川砂が用いられ、必要により海砂や山砂、その他のものにも対応可能である。繊維チップ１１は、ウールやポリエステルのリサイクル可能な天然繊維や合成繊維の廃材を所定の長さに切断して単独または混合して使用でき、５０〜５００デニールの太さのものを１０〜１００ｍｍの長さ、特に３０〜５０ｍｍの長さに裁断したチップを混合することが好ましい。
【００２３】
また、フェルトチップ１２も、ウールやポリエステルのリサイクル可能な天然繊維や合成繊維の廃材を所定の長さに切断して単独または混合したものを使用でき、厚さが０．２〜５ｍｍ位で、５〜３０ｍｍ幅、５〜７０ｍｍ長さの、特にこより状に捻じれているものを混合することが好ましい。フェルトは、人にも、馬にも安全で優しい材料であり、上記のように廃材の裁断したものを馬場１の砂１０に混入して安価に馬場１のクッション性、安全性を向上できる。特に、厚さが０．５〜３ｍｍ、１０〜１５ｍｍ幅、１０〜３０ｍｍ長さの範囲にそろえるのが、砂１０や繊維チップ１１に適切に絡んで馬場１を良好に維持できて好ましい。また、フェルトチップ１２によって、砂１０や繊維チップ１１に散水が強くあたるのを緩和することができる。
【００２４】
このように構成した屋内馬場１には、図１、図３のように所定領域毎に系統分けをして所要の間隔で配設した散水管７にそれぞれの給水配管１３を接続しているとともに、必要により井戸水等を井戸ポンプ等の給水ポンプ１４で給水して除砂装置１５で除砂して集水ピット８に補給し、加圧ポンプ９で３〜５kgf ／cm2の所定圧に加圧して電磁弁の開閉弁１６をＯＮ、ＯＦＦの開閉制御をして上記したそれぞれの給水配管１３に供給し、散水管７を介して均一状に散水して表面層５を所定の水分保持状態に維持するようにしている。
【００２５】
特に、表面層５には、フェルトチップ１２を混合しているため、このフェルトチップ１２が散水を吸水してフェルトチップ１２による毛細管現象によって均一状に砂１０や繊維チップ１１に補水して適切な水分保持状態にでき、良好な馬場１に維持できる。
【００２６】
また、図３、図４のように馬場１に所定容量とした水位調整桝１７を排水管１８を介して馬場１の乗馬用マット層４の下端部に接続するとともにオーバーフロー管１９を配設し、この水位調整桝１７に浸漬深さの異なる一対の電極棒センサー等の水位検出器２０を配設し、図４（ａ）〜（ｃ）のようにオーバーフロー管１９のオーバーフロー口２１の高さを馬場１側の適正な水位保持高さに設定して所定の水位を保つようにしているとともに、馬場１の水分蒸発等による水位調整桝１７の水位変化による水位検出器２０の検出によって、上記した開閉弁１６を自動的に開閉し、加圧ポンプ９を起動停止の運転制御をして給水配管１３を介して散水管７に供給して散水するようにしている。
【００２７】
また、図５（ａ）〜（ｃ）のように馬場１側の排水管１８の排水口２２の高さを馬場１の乗馬用マット層４の上端部、表面層５の下端部付近に位置し、上記したように水位調整桝１７の水位変化にもとづいて開閉弁１６、加圧ポンプ９を制御盤２３を介して駆動制御し、図５（ａ）〜（ｃ）のようにして水位を常に馬場１の表面層５の下端部付近に保持し、馬場１のコンディションをベスト状態に保てるように制御できる。
【００２８】
なお、上記では、馬場１に水位調整桝１７を接続したが、水位調整桝１７を削除して集水ピット８にその機能を装着させることもでき、また水位調整桝１７を利用することなく、直接的にタイマー２４を介して、毎日、朝晩、その他の所定の運転周期を設定して開閉弁１６または／および加圧ポンプ９を駆動制御して散水制御し、馬場１を所定のコンディションに保持するようにもできる。
【００２９】
また、上記では、理解しやすいように集水ピット８から１台の加圧ポンプ９で全系統に給水制御するように説明したが、系統毎に加圧ポンプ９、開閉弁１６をそれぞれ配設して散水制御するようにもできる。なお、上記馬場１には、その周囲に適宜に排水弁２５を接続して排水処理するようにできる。
【実施例】
【００３０】
図１〜図４は、本発明の一実施例を示すものである。屋内馬場１は、図１のように体育館等のように屋根付きの屋内練習用のもので、プール状に周囲に遮水壁２を、底面に遮水層３をコンクリートを防水処理して施設し、その底面の遮水層３に乗馬用マット層４を１００ｍｍ厚さに、表面層５を１００ｍｍ厚さに積層して構成している。
【００３１】
その乗馬用マット層４は、適宜に接合して積層していて、その継目間６を３０ｍｍ幅として、この継目間６に３０ｍｍ径の散水管７を表面層５に突き出ないようにして均一状に配設し、馬場１のコーナー部に集水ピット８を配設し、集水ピット８に装填した水を加圧ポンプ９で３〜５kgf ／cm2の圧力で上記散水管７に送給して、散水管７の上面側に５０ｃｍの間隔で開孔した３ｍｍ径の散水孔から上方の表面層５へ散水して所要の水分保持状態にできるようにしている。
【００３２】
乗馬用マット層４は、所定の弾力のポリウレタンの合成ゴム材を所定の幅、長さの大きさとし、表面には所定の大きさの摩擦力を大きくする凹凸状面等を設けて適宜に１００ｍｍの厚さに上記のように適宜に接合して積層し、所定のクッションとしている。
【００３３】
表面層５は、所定の粒度構成とした砂１０に繊維チップ１１、フェルトチップ１２を所定量混合して１５０ｍｍ厚さに敷設して、馬場１を排水性を良く、グリップ性も良く形成している。繊維チップ１１は、ウールやポリエステルのリサイクル可能な天然繊維や合成繊維の廃材を３０〜５０ｍｍの長さに裁断し、砂１０やフェルトチップ１２と絡み付いて好ましくない。３０〜５０ｍｍ長さに揃えるのが適切に砂１０に絡んで好ましい。
【００３４】
また、フェルトチップ１２は、ウールやポリエステルのリサイクル可能な天然繊維や合成繊維の廃材の厚さが０．５〜３ｍｍ位で、１０〜１５ｍｍ幅、１０〜５０ｍｍ長さの、特にこより状に捻じれているものを混合しているもので、、砂１０や繊維チップ１１に適切に絡んで馬場１を良好に維持できて好ましい。フェルトは、人にも、馬にも安全で優しい材料であり、上記のように廃材の裁断したものを馬場１の砂４に混入して安価に馬場１のクッション性、安全性を向上できる。
【００３５】
このように構成した屋内馬場１は、図１のようにたとえば東西または南北の方向等の所定領域の２区分の系統に区分けして散水管７にそれぞれ給水配管１３を接続し、集水ピット８に装填した水を加圧ポンプ９で３kgf ／cm2の圧力で、電磁弁の開閉弁１６をＯＮ、ＯＦＦの開閉制御をして給水配管１２に供給し、散水管７を介して表面層５に散水して所定の水分保持状態に維持するようにしている。なお、給水配管１３には、分岐バルブを設けて給水量を調整可能としている。
【００３６】
そして、図３、図４のように馬場１の底部に排水管１８を介して水位調整桝１７を接続し、水位調整桝１７に浸漬深さの異なる一対の電極棒センサーの水位検出器２０を配設し、図４（ａ）〜（ｃ）のようにオーバーフロー管１９のオーバーフロー口２１の高さを乗馬用マット層４の下端部付近の位置として所定の適正な水位を保つようにしているとともに、図４（ａ）のように馬場１の水分蒸発で水位調整桝１７の水位が変化すると、図４（ｂ）、（ｃ）のように水位検出器２０で検出して上記した開閉弁１６を開閉し、加圧ポンプ９を運転制御して散水管７に供給して散水するようにしている。
【００３７】
上記散水装置を試験した結果、人手を介することなく、自動的に表面層５に散水でき、特に表面層５にはフェルトチップ１２を混合しているため、このフェルトチップ１２が散水を吸水してフェルトチップ１２による毛細管現象によって均一状に砂１０や繊維チップ１１に補水して適切な水分保持状態にできて、良好な馬場１に維持できた。また、乗馬用マット層４の継目間６に散水管７を表面層５に突き出ないようにして配設しているので、馬の蹄による破損を防止できて、耐久性よく散水できる。
【００３８】
図５（ａ）〜（ｃ）は、本発明の他の実施例を示すものである。本実施例では、図５（ａ）〜（ｃ）のように馬場１側の排水管１８の排水口２２の高さを馬場１の表面層４の下端部付近に位置させて、上記したように水位調整桝１７の水位変化にもとずいて開閉弁１６、加圧ポンプ９を駆動制御し、図５（ａ）〜（ｃ）のようにして水位を常に地面層４の下端部付近に保持して散水するようにしたものである。本実施例でも、人手を介することなく、自動的に表面層５に散水でき、上記と同様にてフェルトチップ１２による毛細管現象によって均一状に砂１０や繊維チップ１１に補水して適切な水分保持状態にできて、良好な馬場１に維持できるもので、馬場１のコンディションを人手を介することなく、簡単にベスト状態に保てるように制御できる。
【００３９】
なお、上記馬場１には、タイマー２４を介して運用周期にもとづいて設定した所定時間に電磁弁１６、加圧ポンプ９を駆動制御し、馬場１を所定のコンディションに保持するようにするなど、屋内馬場のみでなく、必要により屋外馬場にも対応でき、また上記では馬場１の乗馬用マット層４の下部に所要の砕石を敷設するなど、本考案の趣旨にもとずいて適宜な実施態様を実施できるものである。
【図面の簡単な説明】
【００４０】
【図１】本考案の一実施例の屋根部を省略した説明用図、
【図２】同上の馬場敷設の説明用断面図、
【図３】同上の散水システムの概要説明図、
【図４】同上の馬場散水運転制御システム説明図、
【図５】同上の他の実施例の馬場散水運転制御システム説明図。
【符号の説明】
【００４１】
１…馬場          ３…遮水層      ４…乗馬用マット層      ５…表面層    
６…継目間        ７…散水管      ８…集水ピット          ９…加圧ポンプ
１７…位調整桝    ２０…水位検出器
【図１】
0003139880.tif 000003
【図２】
0003139880.tif 000004
【図３】
0003139880.tif 000005
【図４】
0003139880.tif 000006
【図５】
0003139880.tif 000007